(57)【要約】【課題】除去具の柄部から掬い部に酸化防止ガス又は防燃ガスを噴出できるようにして、溶湯面から掬い取った不純物をガス雰囲気で保護し、除去作業中での不純物の酸化燃焼を防止する。【解決手段】不純物の掬い部と、掬い部に取付けた柄部とからなる。柄部を開閉バルブを設けた管体により中空に形成する。柄部後端にガスホースの接続具を設ける。柄部内をガス通路として先端開口から掬い部に酸化防止ガス又は防燃ガスを噴出できるようにする。【選択図】図１
2009190071.tif 000002
【特許請求の範囲】
【請求項１】
不純物の掬い部と、その掬い部に取付けた柄部とからなり、その柄部内をガス通路として先端開口から掬い部に酸化防止ガス又は防燃ガスを噴出できるように、該柄部を開閉バルブを設けた管体により中空に形成し、柄部後端にホース継ぎ口を設けてなることを特徴とする溶湯面の不純物除去具。
【請求項２】
上記掬い部は浅底でスプーンのボールと同様な形態からなり、その後端縁に上向き斜めに突設した柄受けに上記管体の先端部を挿通止着し、柄部の先端開口を掬い部の底面に向けて位置させてなることを特徴とする請求項１記載の溶湯面の不純物除去具。
【発明の詳細な説明】
【技術分野】
【０００１】
この発明は、溶解炉や加熱保持容器の溶湯面に生じている酸化物や窒化物等の不純物を掬い取って除去する道具に関するものである。
【背景技術】
【０００２】
金属材料を溶解炉で溶湯に溶解してそのまま保持する場合と、溶湯を溶解炉から加熱保持容器に移して保持する場合とがある。その何れにおいても一般にドロスと称されている酸化物や窒化物等による不純物が溶湯面に浮遊し、それが時間の経過にともない量を増して一部が溶湯に沈降し、溶湯に取り込まれて不純物となり、製品に影響を与えることから、不純物を成形稼働中に周知の形態の柄杓や杓子などにより掬い出している。
【発明の開示】
【発明が解決しようとする課題】
【０００３】
金属材料がマグネシウム基合金の場合、溶湯が空気に触れると空気中の酸素と反応し易いので、溶解や加熱保持は施蓋した炉内や容器内に酸化防止ガスや防燃ガスを供給してガス雰囲気中で行っている。除去作業のために蓋を開けると炉内や容器内のガスが流出し、外から空気が流入してガスの供給を続けていてもガス雰囲気が希薄となって溶湯が酸化し易くなり、また除去作業が長引くと生産効率の低下ともなるので、除去作業は短時間で済ませるようにしている。
【０００４】
しかし、柄杓や杓子などで不純物だけを溶湯面上から掬い出すことは極めて難しく、少量ではあるが溶湯も不純物と一緒に掬い取られており、この溶湯が掬い出し後に空気と接触して酸化し、時には不純物と共に燃焼することがある。また除去作業中に炉外などで燃焼が起きると危険であり、作業を安全に行えないので除去作業は中断し、消火により安全性が確認されてから再開することになるので、燃焼が起こると作業時間が予定より長引いて生産効率が低下することがある。
【０００５】
この発明は、成形稼働中に不純物を掬い取って除去する際の酸化燃焼を防止するために考えられたものであって、その目的は、簡単な構造で掬い取った不純物をガス雰囲気で保護して空気との接触による酸化燃焼を防止でき、溶湯面からの不純物の除去を安全に行い得る新たな溶湯面の不純物除去具を提供することにある。
【課題を解決するための手段】
【０００６】
上記目的によるこの発明は、不純物の掬い部と、その掬い部に取付けた柄部とからなり、その柄部内をガス通路として先端開口から掬い部に酸化防止ガス又は防燃ガスを噴出できるように、該柄部を開閉バルブを設けた管体により中空に形成し、柄部後端にホース継ぎ口を設けてなる、というものである。
【０００７】
また上記掬い部は浅底でスプーンのボールと同様な形態からなり、その後端縁に上向き斜めに突設した柄受けに上記管体の先端部を挿通止着し、柄部の先端開口を掬い部の底面に向けて位置させてなる、というものである。
【発明の効果】
【０００８】
上記構成では、掬い部の上に噴出した酸化防止ガスや防燃ガスが、掬い取った不純物を空気から遮断して保護するガス雰囲気を形成するので、不純物が炉外や容器外で燃焼することがなく、溶湯面の不純物の除去作業が安全に短時間で行えるようになる。また除去作業時の開扉により溶湯面上のガス雰囲気が希薄になり易くなることがあっても、不純物の除去中に柄部から噴出するガスが溶湯面上を拡散して保護するので溶湯の酸化も防止でき、消化器としても使用できるので、掬い部から零れて燃焼した不純物や溶湯を鎮火して安全に除去することもできる、という効果を奏する。
【発明を実施するための最良の形態】
【０００９】
図中１は不純物の除去具で、不純物の掬い部１１と、掬い部１１の後端部に取付けた管体１２ａによる中空の柄部１２とからなる。掬い部１１は浅底で底面が弯曲したスプーンのボールと同様な形態からなり、その後端縁から上方に向けて緩傾斜に突設した柄受け１１ａに管体１２ａの先端部を挿通止着して、先端開口を掬い部１１の底面に向けて位置させてある。
【００１０】
上記管体１２ａの後端には開閉バルブ１３がバルブ本体１３ａをねじ着して気密に取付けてあり、そのバルブ本体１３ａにホース継ぎ口１４が気密にねじ着して連結してある。
【００１１】
このような除去具１では、柄部１２が管体１２ａにより中空に形成されていることから、アルゴンなどの不活性ガスによる酸化防止ガスやＳＦ６などの防燃ガスのボンベ（図は省略）に取付けたガスホース２をホース継ぎ口１４に嵌着し、ボンベのコックを開いて後端の開閉バルブ１３を開弁すると、柄部内をガス通路として上記ガスＧＳが、柄部１２の先端開口から掬い部１１の上に噴出して拡散する。これにより掬い部１１はガス雰囲気に包まれた状態となって空気と遮断されるようになる。
【００１２】
この除去具１は、ダイキャストの溶解炉や射出装置に設置された材料溶解保持装置内の溶湯面の不純物（以下ドロスという）の除去に使用することができる。図３に例示する材料溶解保持装置３は、射出装置４のシリンダ４１の上に設置して下端の流出口を射出プランジャ４２の前面の供給口４３に接続した溶湯Ｍの保持容器３１（外径３２０ｍｍ程度）と、前後両側が開閉扉３２ａの蓋部材３２と、その蓋部材３２に並行に立設した２本（図では１本を示す）の溶解筒３３と、酸化防止ガス又は防燃ガスのガス注入管３４とからなり、その溶解筒３３によりマグネシウム基合金などの棒状材料を溶解し、下端開口から流下した溶湯Ｍを保持容器３１に貯留して、外周囲のヒータ３５により溶湯温度を維持する構成からなる。
【００１３】
上記材料溶解保持装置３では、開閉扉３２ａを上方に開いて除去具１を保持容器３１内に挿入することができるので、掬い部１１を保持容器内に入れる前にボンベのコックを開き、開閉バルブ１３を開弁してボンベ２の上記ガスを柄部１２の先端開口から掬い部１１に、掬い取ったドロスが吹き飛ばない程度の強さで噴出させてから除去具１の挿入を行う。
【００１４】
溶湯面上のドロスＭｓの掬い取りは、上記ガスを噴出したまま除去具１を保持容器内に挿入したのち、柄部１２を握っている手の手首の回動操作により掬い部１１を横向きに傾斜したり、また前に進めたりなどしてドロスＭｓを掬い上げることにより行え、掬い部１１の大きさに見合った分量のドロスＭｓを掬い取ったのち、除去具１を引き戻して掬い部１１を容器外に引き出し、予め準備した容器（図は省略）にドロスＭｓを落とし入れて収容する。このような除去作業を繰返すことにより溶湯面上のドロスＭｓの殆どを除去することができる。
【００１５】
上記ガスの掬い部１１への噴出は、除去作業の開始時から終了時まで継続して行い、これにより掬い部１１の上に噴出して拡散したガスＧＳの雰囲気が生じて、掬い取ったドロスＭｓやそこに付着した溶湯がガス雰囲気に保護されて空気と遮断され、空気中の酸素による酸化燃焼が防止される。このため溶湯Ｍが酸化燃焼し易いマグネシウム基合金であっても、ドロスの除去作業中に酸化して自然発火することはないので、ドロスの除去を安全かつ短時間で済ませることができるようになる。
【００１６】
また注入管３４から保持容器３１内に供給された上記ガスによる容器上部のガス雰囲気が、開扉により希薄になるようなことがあっても、ドロスの除去中に柄部１２から噴出するガスが溶湯面上を拡散して保護するようになるので、開扉によるガス雰囲気の希薄化も防止することができる。さらに掬い部１１からドロスと一緒に掬い取られた溶湯が保持容器外で零れて燃焼しても、ドロスを容器に入れた後に燃焼している溶湯に除去具１から上記ガスを吹き付けて鎮火することもできる。
【図面の簡単な説明】
【００１７】
【図１】この発明に係わる溶湯面の不純物除去具の平面図である。
【図２】同じく一部縦断側面図である。
【図３】使用状態説明図である。
【符号の説明】
【００１８】
１    不純物の除去具
１１    掬い部
１２    柄部
１２ａ  管体
１３    開閉バルブ
１４    ホース継ぎ口
【図１】
2009190071.tif 000003
【図２】
2009190071.tif 000004
【図３】
2009190071.tif 000005